(57)【要約】【課題】視認性が高い状態で自動運転を終了することができる照度調整装置、照度調整方法及びコンピュータプログラムを提供する。【解決手段】照度調整装置１１では、車両１００の自動運転が行われている場合において、制御部３５は、自動運転が終了するまでに要すると推定される推定時間が基準時間以下であるか否かを判定する。制御部３５によって推定時間が基準時間以下であると判定された場合、駆動部２２は、車両１００の室内を照らす室内灯１２の照度を低下させる。【選択図】図１
2019107939.tif 000002
【特許請求の範囲】
【請求項１】
車両の自動運転が行われている場合にて、前記自動運転が終了するまでに要すると推定される推定時間が所定時間以下であるか否かを判定する判定部と、
前記判定部によって、前記推定時間が前記所定時間以下であると判定された場合に、前記車両の室内を照らす室内灯の照度を低下させる調整部と
を備える照度調整装置。
【請求項２】
前記調整部は、前記判定部によって、前記推定時間が前記所定時間以下であると判定された場合に、前記室内灯の照度を段階的に低下させる
請求項１に記載の照度調整装置。
【請求項３】
前記車両には、回転可能な座席が設置されており、
前記座席の回転角を検出する回転角検出部を備え、
前記調整部は、前記自動運転が行われている場合にて、前記回転角検出部が検出した回転角に基づいて、前記室内灯の照度を調整する
請求項１又は請求項２に記載の照度調整装置。
【請求項４】
前記車両の外側の照度を検出する照度検出部を備え、
前記調整部は、前記自動運転が行われている場合にて、前記回転角検出部が検出した回転角と、前記照度検出部が検出した照度とに基づいて、前記室内灯の照度を調整する
請求項３に記載の照度調整装置。
【請求項５】
前記調整部は、
前記照度検出部が検出した照度に基づいて照度を設定し、
設定した照度以下の範囲で、前記回転角検出部が検出した回転角に基づいて前記室内灯の照度を調整する
請求項４に記載の照度調整装置。
【請求項６】
車両の自動運転が行われている場合にて、前記自動運転が終了するまでに要すると推定される推定時間が所定時間以下であるか否かを判定するステップと、
前記推定時間が前記所定時間以下であると判定した場合に、前記車両の室内を照らす室内灯の照度を低下させるステップと
を含む照度調整方法。
【請求項７】
コンピュータに、
車両の自動運転が行われている場合にて、前記自動運転が終了するまでに要すると推定される推定時間が所定時間以下であるか否かを判定するステップと、
前記推定時間が前記所定時間以下であると判定した場合に、前記車両の室内を照らす室内灯の照度の低下を指示するステップと
を実行させるためのコンピュータプログラム。
【発明の詳細な説明】
【技術分野】
【０００１】
本発明は、照度調整装置、照度調整方法及びコンピュータプログラムに関する。
【背景技術】
【０００２】
車両には、室内を照らす室内灯の照度を調整する照度調整装置（例えば、特許文献１を参照）が搭載されている。この照度調整装置は、車両の外側の照度に応じて、室内灯の照度を調整する。これにより、乗員が感じる室内の明るさを一定に保つことができる。
【先行技術文献】
【特許文献】
【０００３】
【特許文献１】特開平１１−２５５０１７号公報
【発明の概要】
【発明が解決しようとする課題】
【０００４】
自動運転を行う機能が搭載された車両の開発が進められている。自動運転を行う機能が搭載されていない車両では、運転者が行う車両の運転に支障をきたさないように室内灯の照度が調整される。しかしながら、車両の自動運転が行われている場合、コンピュータが運転を行うので、室内から車両の外側を見る人物の視認性を考慮せずに室内灯の照度を調整することができる。自動運転が行われている場合においては、室内灯の照度が高くて視認性が低いときであっても、コンピュータが行う運転に支障をきたすことはない。
【０００５】
しかしながら、車両の外側の照度が低くて室内灯の照度が高い状態で自動運転が終了した場合において、手動運転を行う必要があるとき、視認性が低い状態で運転者が手動運転を開始する可能性がある。視認性が低い状態で運転者が手動運転を行うことは好ましくない。
【０００６】
本発明は斯かる事情に鑑みてなされたものであり、その目的とするところは、視認性が高い状態で自動運転を終了することができる照度調整装置、照度調整方法及びコンピュータプログラムを提供することにある。
【課題を解決するための手段】
【０００７】
本発明の一態様に係る照度調整装置は、車両の自動運転が行われている場合にて、前記自動運転が終了するまでに要すると推定される推定時間が所定時間以下であるか否かを判定する判定部と、前記判定部によって、前記推定時間が前記所定時間以下であると判定された場合に、前記車両の室内を照らす室内灯の照度を低下させる調整部とを備える。
【０００８】
本発明の一態様に係る照度調整方法は、車両の自動運転が行われている場合にて、前記自動運転が終了するまでに要すると推定される推定時間が所定時間以下であるか否かを判定するステップと、前記推定時間が前記所定時間以下であると判定した場合に、前記車両の室内を照らす室内灯の照度を低下させるステップとを含む。
【０００９】
本発明の一態様に係るコンピュータプログラムは、コンピュータに、車両の自動運転が行われている場合にて、前記自動運転が終了するまでに要すると推定される推定時間が所定時間以下であるか否かを判定するステップと、前記推定時間が前記所定時間以下であると判定した場合に、前記車両の室内を照らす室内灯の照度の低下を指示するステップとを実行させる。
【００１０】
なお、本発明を、このような特徴的な処理部を備える照度調整装置として実現することができるだけでなく、かかる特徴的な処理をステップとする照度調整方法として実現したり、かかるステップをコンピュータに実行させるためのコンピュータプログラムとして実現したりすることができる。また、本発明を、照度調整装置の一部又は全部を実現する半導体集積回路として実現したり、照度調整装置を含む照度調整システムとして実現したりすることができる。
【発明の効果】
【００１１】
上記の態様によれば、視認性が高い状態で自動運転を終了することができる。
【図面の簡単な説明】
【００１２】
【図１】本実施形態における照明システムの要部構成を示すブロック図である。
【図２】車両の室内の説明図である。
【図３】第１調整処理の手順を示すフローチャートである。
【図４】外側照度と基準照度の候補値との関係を示すグラフである。
【図５】前方左座席及び前方右座席の回転角と乗算係数との関係を示す図表である。
【図６】前方左座席及び前方右座席の状態の一例を示す概略図である。
【図７】前方左座席及び前方右座席の状態の他例を示す概略図である。
【図８】第２調整処理の手順を示すフローチャートである。
【発明を実施するための形態】
【００１３】
［本発明の実施形態の説明］
最初に本発明の実施態様を列挙して説明する。以下に記載する実施形態の少なくとも一部を任意に組み合わせてもよい。
【００１４】
（１）本発明の一態様に係る照度調整装置は、車両の自動運転が行われている場合にて、前記自動運転が終了するまでに要すると推定される推定時間が所定時間以下であるか否かを判定する判定部と、前記判定部によって、前記推定時間が前記所定時間以下であると判定された場合に、前記車両の室内を照らす室内灯の照度を低下させる調整部とを備える。
【００１５】
（２）本発明の一態様に係る照度調整装置では、前記調整部は、前記判定部によって、前記推定時間が前記所定時間以下であると判定された場合に、前記室内灯の照度を段階的に低下させる。
【００１６】
（３）本発明の一態様に係る照度調整装置では、前記車両には、回転可能な座席が設置されており、前記座席の回転角を検出する回転角検出部を備え、前記調整部は、前記自動運転が行われている場合にて、前記回転角検出部が検出した回転角に基づいて、前記室内灯の照度を調整する。
【００１７】
（４）本発明の一態様に係る照度調整装置は、前記車両の外側の照度を検出する照度検出部を備え、前記調整部は、前記自動運転が行われている場合にて、前記回転角検出部が検出した回転角と、前記照度検出部が検出した照度とに基づいて、前記室内灯の照度を調整する。
【００１８】
（５）本発明の一態様に係る照度調整装置は、前記調整部は、前記照度検出部が検出した照度に基づいて照度を設定し、設定した照度以下の範囲で、前記回転角検出部が検出した回転角に基づいて前記室内灯の照度を調整する。
【００１９】
（６）本発明の一態様に係る照度調整方法は、車両の自動運転が行われている場合にて、前記自動運転が終了するまでに要すると推定される推定時間が所定時間以下であるか否かを判定するステップと、前記推定時間が前記所定時間以下であると判定した場合に、前記車両の室内を照らす室内灯の照度を低下させるステップとを含む。
【００２０】
（７）本発明の一態様に係るコンピュータプログラムは、コンピュータに、車両の自動運転が行われている場合にて、前記自動運転が終了するまでに要すると推定される推定時間が所定時間以下であるか否かを判定するステップと、前記推定時間が前記所定時間以下であると判定した場合に、前記車両の室内を照らす室内灯の照度の低下を指示するステップとを実行させる。
【００２１】
上記の一態様に係る照度調整装置、照度調整方法及びコンピュータプログラムにあっては、自動運転が終了するまでに要すると推定される推定時間が所定時間以下となった場合、室内灯の照度を低下させ、室内から車両の外側を見る人物の視認性を上昇させる。これにより、視認性が高い状態で自動運転が終了する。
【００２２】
上記の一態様に係る照度調整装置にあっては、自動運転が終了するまでに要すると推定される推定時間が所定時間以下となった場合、室内灯の照度を段階的に低下させる。このため、室内の人物の視認性が緩やかに上昇する。
【００２３】
上記の一態様に係る照度調整装置にあっては、自動運転が行われている場合、座席の回転角に基づいて、室内灯の照度が適切な照度に調整される。
【００２４】
上記の一態様に係る照度調整装置にあっては、自動運転が行われている場合、座席の回転角だけではなく、車両の外側の照度にも基づいて、室内灯の照度が、より適切な照度に調整される。
【００２５】
上記の一態様に係る照度調整装置にあっては、車両の外側の照度に基づいて照度を決定し、決定した照度以下の範囲において、座席の回転角に基づいて室内灯の照度を調整する。
【００２６】
［本発明の実施形態の詳細］
本発明の実施形態に係る照明システムの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２７】
図１は、本実施形態における照明システム１の要部構成を示すブロック図である。照明システム１は、車両１００に好適に搭載されており、自動運転装置１０、照度調整装置１１及び室内灯１２を備える。自動運転装置１０は、照度調整装置１１に接続されている。照度調整装置１１は、更に、室内灯１２に接続されている。
【００２８】
自動運転装置１０は、車両１００の乗員から、車両１００の自動運転を指示する自動運転指示を受け付ける。自動運転装置１０は、自動運転指示を受け付けた場合、乗員から目的地の入力を受け付ける。自動運転装置１０は、目的地の入力を受け付けた場合、車両１００の自動運転を開始し、自動運転の開始を示す運転開始データを照度調整装置１１に出力する。自動運転装置１０は、車両１００が、乗員から受け付けた入力に係る目的地に到着するまで、車両１００の自動運転を行う。
【００２９】
自動運転装置１０は、車両１００の自動運転を行っている間、目的地に到着するまでに要する時間、即ち、自動運転が終了するまでに要する時間を周期的に推定する。自動運転装置１０には、地図を示す地図データが記憶されている。更に、自動運転装置１０には車両１００の速度を検出する車速センサが接続されている。自動運転装置１０は、例えば、現在地から目的地までの走行距離と車両１００の速度とに基づいて、自動運転が終了するまでに要する時間を推定する。自動運転装置１０は、自動運転が終了するまでに要する時間を推定する都度、推定した時間、即ち、自動運転が終了するまでに要すると推定される推定時間を示す推定時間データを照度調整装置１１に出力する。
【００３０】
自動運転装置１０は、車両１００が目的地に到着した場合、自動運転を終了し、自動運転指示を乗員から再び受け付けるまで動作を停止する。自動運転装置１０が動作を停止している場合、運転者が、ハンドル、アクセルペダル及びブレーキペダル等を操作することによって車両１００の手動運転を行う。
【００３１】
室内灯１２は、ランプ又はＬＥＤ(Light Emitting Diode)等であり、車両１００の室内を照らす。照度調整装置１１は、室内灯１２の照度を調整する。照度調整装置１１は、自動運転装置１０から運転開始データが入力された場合、室内灯１２の照度を調整する処理を開始する。照度調整装置１１は、推定時間データが示す推定時間に基づいて、室内灯１２の照度を調整する。
照度調整装置１１は、室内灯１２の照度をゼロルクスに調整することによって、室内灯１２を消灯させ、室内灯１２の照度を、ゼロルクスを超える値に調整することによって、室内灯１２を点灯させる。
【００３２】
照度調整装置１１は、回転角検出部２０、外側照度検出部２１、駆動部２２及びマイクロコンピュータ（以下、マイコンという）２３を有する。マイコン２３は、入力部３０，３１，３２、出力部３３、記憶部３４及び制御部３５を有する。自動運転装置１０、回転角検出部２０及び外側照度検出部２１夫々は入力部３０，３１，３２に接続されている。室内灯１２は、駆動部２２に接続されている。駆動部２２は、更に、出力部３３に接続されている。マイコン２３内では、入力部３０，３１，３２、出力部３３、記憶部３４及び制御部３５が内部バス３６に接続されている。
【００３３】
マイコン２３の入力部３０には、自動運転装置１０から、運転開始データが入力される。入力部３０は、運転開始データが入力された場合、その旨を制御部３５に通知する。自動運転装置１０が自動運転を行っている間、入力部３０には、自動運転装置１０から、推定時間データが周期的に入力される。制御部３５は、入力部３０から推定時間データを取得する。
【００３４】
図２は、車両１００の室内の説明図である。図２に示すように、車両１００の室内では、車両１００の前方の左側に前方左座席４ｆが設置されており、車両１００の前方の右側に前方右座席４ｒが設置されている。更に、車両１００の室内では、車両１００の後方の左側に後方左座席５ｆが設置され、車両１００の後方の右側に後方右座席５ｒが設置されている。室内灯１２は、例えば、車両１００の室内の中央部の上側に設けられており、車両１００の室内を照らす。図２では、室内灯１２の記載を省略している。
【００３５】
前方左座席４ｆでは、室内の床に直方体状の底部６０が設置されている。底部６０の下面は室内の床面に対向している。底部６０の一側面に背もたれ６１が設置されている。背もたれ６１は、この側面に沿って底部６０よりも上側に延びている。背もたれ６１の上面にヘッドレスト６２が設置されている。乗員は、底部６０に座り、背もたれ６１にもたれ、自身の頭をヘッドレスト６２で休める。
【００３６】
前方右座席４ｒ、後方左座席５ｆ及び後方右座席５ｒ夫々は、前方左座席４ｆと同様に、底部６０、背もたれ６１及びヘッドレスト６２を有する。前方右座席４ｒ、後方左座席５ｆ及び後方右座席５ｒ夫々の構成は、前方左座席４ｆの構成と同様である。
【００３７】
以下では、前方左座席４ｆ、前方右座席４ｒ、後方左座席５ｆ及び後方右座席５ｒについて、背もたれ６１が配置された底部６０の一側面から、この側面に対向する底部６０の一側面に向かう方向を座席方向と記載する。図２の例では、前方左座席４ｆ、前方右座席４ｒ、後方左座席５ｆ及び後方右座席５ｒ夫々の座席方向は、車両１００の前方である。
【００３８】
前方左座席４ｆ及び前方右座席４ｒ夫々の底部６０は回転可能に設置されている。乗員は、図示しない操作部を操作することによって、前方左座席４ｆ及び前方右座席４ｒ夫々の回転角を調整することができる。
【００３９】
乗員は、前方左座席４ｆを回転させることによって、前方左座席４ｆの座席方向を、前方、右斜め前方、右方向、右斜め後方及び後方に調整することができる。図１に示す回転角検出部２０は、前方左座席４ｆについて、座席方向と車両１００の前方とがなす角を回転角として検出する。回転角がゼロ度である場合、座席方向は前方である。回転角が９０度である場合、座席方向は右方向である。回転角が１８０度である場合、座席方向は後方である。
【００４０】
同様に、乗員は、前方右座席４ｒを回転させることによって、前方右座席４ｒの座席方向を、前方、左斜め前方、左方向、左斜め後方及び後方に調整することができる。図１に示す回転角検出部２０は、前方右座席４ｒについて、座席方向と車両１００の前方とがなす角を回転角として検出する。回転角がゼロ度である場合、座席方向は前方である。回転角が９０度である場合、座席方向は左方向である。回転角が１８０度である場合、座席方向は後方である。
【００４１】
前方左座席４ｆ及び前方右座席４ｒを回転させる構成は、図示しない２つのモータ夫々が前方左座席４ｆ及び前方右座席４ｒを回転させる構成であってもよい。この場合、回転角検出部２０は、例えば、２つのモータ夫々の回転数に基づいて、前方左座席４ｆ及び前方右座席４ｒの回転角を検出する。
【００４２】
また、車両１００の室内において、前方左座席４ｆ及び前方右座席４ｒの画像を撮影する図示しないカメラを設置してもよい。この場合、回転角検出部２０は、カメラが撮影した画像に基づいて、前方左座席４ｆ及び前方右座席４ｒの回転角を検出してもよい。
【００４３】
後方左座席５ｆ及び後方右座席５ｒは回転することなく、後方左座席５ｆ及び後方右座席５ｒ夫々の座席方向は車両１００の前方に固定されている。
【００４４】
回転角検出部２０は、前方左座席４ｆ及び前方右座席４ｒの回転角を周期的に検出する。回転角検出部２０は、回転角を検出する都度、検出した回転角を示す回転角データをマイコン２３の入力部３１に出力する。制御部３５は、入力部３１から回転角データを取得する。
【００４５】
外側照度検出部２１は、車両１００の外側の照度である外側照度を周期的に検出する。外側照度検出部２１は、外側照度を検出する都度、検出した外側照度を示す外側照度データを入力部３２に出力する。制御部３５は、入力部３２から外側照度データを取得する。
【００４６】
記憶部３４は不揮発性メモリである。記憶部３４には、室内灯１２について、調整されるべき目標照度を示す目標照度データが記憶されている。制御部３５は、記憶部３４に記憶されている目標照度データが示す目標照度を変更する。
【００４７】
出力部３３は、制御部３５の指示に従って、記憶部３４から目標照度データを読み出し、読み出した目標照度データを駆動部２２に出力する。駆動部２２は、出力部３３から目標照度データが入力された場合、室内灯１２の照度を、入力された目標照度データが示す目標照度に調整する。
駆動部２２は、室内灯１２の照度をゼロルクスに調整することによって、室内灯１２を消灯し、室内灯１２の照度を、ゼロルクスを超える照度に調整することによって、室内灯１２を点灯させる。
【００４８】
駆動部２２は室内灯１２に電力を供給する。駆動部２２は、例えば、室内灯１２に印加されている電圧の電圧値、又は、室内灯１２に供給している電流の電流値を調整することによって、室内灯１２の照度を調整する。
【００４９】
記憶部３４には、目標照度データの他に、フラグの値が記憶されている。フラグの値は、制御部３５によって、ゼロ又は１に変更される。
【００５０】
記憶部３４には、更に、コンピュータプログラムＰ１が記憶されている。制御部３５は、一又は複数のＣＰＵ(Central Processing Unit)を有する。制御部３５が有する一又は複数のＣＰＵは、コンピュータプログラムＰ１を実行することによって、フラグ変更処理、第１調整処理及び第２調整処理を実行する。フラグ変更処理は、フラグの値を変更する処理である。第１調整処理及び第２調整処理夫々は、室内灯１２の照度を調整する処理である。コンピュータプログラムＰ１は、制御部３５が有する一又は複数のＣＰＵに、フラグ変更処理、第１調整処理及び第２調整処理を実行させるために用いられる。
【００５１】
なお、コンピュータプログラムＰ１は、制御部３５が有する一又は複数のＣＰＵが読み取り可能に、記憶媒体Ｅ１に記憶されていてもよい。この場合、図示しない読み出し装置によって記憶媒体Ｅ１から読み出されたコンピュータプログラムＰ１が記憶部３４に記憶される。記憶媒体Ｅ１は、光ディスク、フレキシブルディスク、磁気ディスク、磁気光ディスク又は半導体メモリ等である。光ディスクは、ＣＤ（Compact Disc）−ＲＯＭ(Read Only Memory)、ＤＶＤ（Digital Versatile Disc）−ＲＯＭ、又は、ＢＤ（Blu-ray(登録商標) Disc）等である。磁気ディスクは、例えばハードディスクである。また、図示しない通信網に接続されている図示しない外部装置からコンピュータプログラムＰ１をダウンロードし、ダウンロードしたコンピュータプログラムＰ１を記憶部３４に記憶してもよい。
【００５２】
制御部３５は、自動運転装置１０から入力部３０に運転開始データが入力された場合にフラグ変更処理を実行する。フラグ変更処理では、制御部３５は、記憶部３４に記憶されているフラグの値を１に変更し、フラグ変更処理を終了する。制御部３５は、第２調整処理において、自動運転装置１０から入力部３０に入力された推定時間データが示す推定時間が基準時間以下であると判定した場合に、フラグの値をゼロに変更する。
【００５３】
前述したように、推定時間データが示す推定時間は、自動運転が終了するまでに要すると推定される時間である。従って、自動運転が開始されてから、自動運転が終了すると推定される時点から基準時間遡った時点までの期間において、フラグの値は１に設定される。この期間を除く他の期間では、フラグの値はゼロに設定される。
【００５４】
図３は第１調整処理の手順を示すフローチャートである。制御部３５は、フラグの値が１である間、周期的に第１調整処理を実行する。第１調整処理では、制御部３５は、外側照度検出部２１が検出した外側照度を示す外側照度データを入力部３２から取得し（ステップＳ１）、取得した外側照度データが示す外側照度に基づいて基準照度を設定する（ステップＳ２）。
【００５５】
図４は、外側照度と基準照度の候補値との関係を示すグラフである。横軸及び縦軸夫々には、外側照度及び基準照度の候補値が示されている。記憶部３４には、外側照度と基準照度の候補値との関係が記憶されている。図４に示すように、基準照度の候補値は、外側照度が低い程、高く、外側照度が高い程、低い。
【００５６】
ステップＳ２では、制御部３５は、ステップＳ１で取得した外側照度データが示す外側照度、即ち、外側照度検出部２１が検出した外側照度に対応する基準照度の候補値を基準照度に設定する。
【００５７】
なお、図４では、外側照度が増加した場合に、基準照度の候補値は直線的に低下している。しかしながら、外側照度が増加した場合に、基準照度の候補値は曲線的に低下してもよい。
また、ステップＳ２において、制御部３５は、外側照度に対応付けて基準照度の候補値が記憶されている対応表に基づいて基準照度を設定してもよい。この場合、制御部３５は、対応表において、外側照度検出部２１が検出した外側照度に対応する基準照度の候補値を基準照度に設定する。また、ステップＳ２において、制御部３５は、外側照度と基準照度の候補値とが変数である数式を用いて基準照度を設定してもよい。この場合、制御部３５は、外側照度検出部２１が検出した外側照度を数式に代入することによって算出された基準照度の候補値を基準照度に設定する。
【００５８】
制御部３５は、ステップＳ２を実行した後、回転角検出部２０が検出した前方左座席４ｆ及び前方右座席４ｒの回転角を示す回転角データを入力部３１から取得する（ステップＳ３）。次に、制御部３５は、ステップＳ３取得した回転角データが示す回転角に基づいて、ステップＳ２で設定した基準照度に乗算する乗算係数を決定する（ステップＳ４）。
【００５９】
図５は、前方左座席４ｆ及び前方右座席４ｒの回転角と乗算係数との関係を示す図表である。記憶部３４には、図５に示すように、前方左座席４ｆ及び前方右座席４ｒの回転角に対応付けて係数Ｃ１，Ｃ２，Ｃ３が記憶されている。ステップＳ４では、制御部３５は、図５に示すように、前方左座席４ｆ及び前方右座席４ｒの回転角がゼロ度である場合、乗算係数を係数Ｃ１に決定する。制御部３５は、前方左座席４ｆ及び前方右座席４ｒの回転角が１８０度である場合、乗算係数を係数Ｃ２に決定する。
【００６０】
制御部３５は、前方左座席４ｆ及び前方右座席４ｒの回転角の少なくとも一方がゼロ度を超えており、かつ、１８０度未満である場合、乗算係数を係数Ｃ３に設定する。係数Ｃ１は、最も小さく、例えば、０，２である。係数Ｃ２は、最も大きく、例えば、１．０である。係数Ｃ３は、係数Ｃ１を超えており、かつ、係数Ｃ２未満である値であり、例えば、０．５である。
【００６１】
次に、制御部３５は、ステップＳ２で設定した基準照度に、ステップＳ４で決定した乗算係数を乗算することによって照度を算出し（ステップＳ５）。次に、制御部３５は、記憶部３４に記憶されている目標照度データが示す目標照度を、ステップＳ５で算出した照度に変更する（ステップＳ６）。その後、制御部３５は、目標照度データの出力を出力部３３に指示する（ステップＳ７）。これにより、出力部３３は、記憶部３４から目標照度データを読み出し、読み出した目標照度データを駆動部２２に出力する。駆動部２２は、室内灯１２の照度を、目標照度データが示す目標照度、即ち、ステップＳ５で算出した照度に調整する。制御部３５は、ステップＳ７を実行した後、第１調整処理を終了する。
目標照度データの出力を出力部３３に指示することは、室内灯１２の照度を目標照度データが示す目標照度に調整することを駆動部２２に指示することに相当する。
【００６２】
フラグの値が１である場合、即ち、車両１００の自動運転が行われている場合において、図２に示すように、前方左座席４ｆ及び前方右座席４ｒの回転角がゼロ度であると仮定する。この場合、制御部３５は、第１調整処理において、乗算係数を係数Ｃ１に決定する。前述したように、係数Ｃ１は、係数Ｃ２，Ｃ３よりも低い。従って、制御部３５は目標照度を低い照度に変更し、駆動部２２は室内灯１２の照度を低い照度に調整する。前方左座席４ｆ及び前方右座席４ｒの回転角がゼロ度である状況として、例えば、車両１００に乗っている複数の乗員夫々が自身の座席で個別に時間を過ごしている状況が考えられる。
【００６３】
図６は、前方左座席４ｆ及び前方右座席４ｒの状態の一例を示す概略図である。フラグの値が１である場合において、図６に示すように、前方左座席４ｆ及び前方右座席４ｒの回転角が１８０度であると仮定する。この場合、前方左座席４ｆ及び後方左座席５ｆの座席方向は向かい合っており、前方右座席４ｒ及び後方右座席５ｒの座席方向も向かい合っている。
【００６４】
前方左座席４ｆ及び前方右座席４ｒの回転角が１８０度である場合、制御部３５は、第１調整処理において、乗算係数を係数Ｃ２に決定する。前述したように、係数Ｃ２は、係数Ｃ１，Ｃ３よりも高い。従って、制御部３５は目標照度を高い照度に変更し、駆動部２２は室内灯１２の照度を高い照度に調整する。前方左座席４ｆ及び前方右座席４ｒの回転角が１８０度である状況として、車両１００の複数の乗員が向かい合って会話をかわしている状況が考えられる。
【００６５】
図７は、前方左座席４ｆ及び前方右座席４ｒの状態の他例を示す概略図である。フラグの値が１である場合において、図７に示すように、前方左座席４ｆ及び前方右座席４ｒの回転角の少なくとも一方が、ゼロ度を超えており、かつ、１８０度未満であると仮定する。図７の例では、前方左座席４ｆの座席方向が車両１００の右斜め前方に調整され、前方右座席４ｒの座席方向が車両１００の左斜め前方に調整されている。
【００６６】
前方左座席４ｆ及び前方右座席４ｒの回転角の少なくとも一方が、ゼロ度を超えており、かつ、１８０度未満である場合、制御部３５は、第１調整処理において、乗算係数を係数Ｃ３に決定する。前述したように、係数Ｃ３は、係数Ｃ１を超えており、かつ、係数Ｃ２未満である。従って、制御部３５は、目標照度を中程度の照度に変更し、駆動部２２は室内灯１２の照度を中程度の照度に調整する。前方左座席４ｆ及び前方右座席４ｒの回転角の少なくとも一方が、ゼロ度を超えており、かつ、１８０度未満である状況として、例えば、前方右座席４ｒに座っている乗員が、前方左座席４ｆ又は後方左座席５ｆに座っている乗員と時折会話をかわす状況が考えられる。
【００６７】
以上のように、駆動部２２及び制御部３５は、自動運転装置１０が車両１００の自動運転を行っている場合において、回転角検出部２０が検出した前方左座席４ｆ及び前方右座席４ｒの回転角に基づいて、室内灯１２の照度を調整する。駆動部２２及び制御部３５は調整部として機能する。
【００６８】
前述したように、第１調整処理では、制御部３５は、目標照度を、基準照度に乗算係数を乗算することによって算出した照度に変更する。制御部３５は、外側照度検出部２１が検出した外側照度が高い程、基準照度を高い照度に調整する。このため、駆動部２２及び制御部３５は、車両１００の自動運転が行われている場合において、回転角検出部２０が検出した前方左座席４ｆ及び前方右座席４ｒの回転角だけではなく、外側照度検出部２１が検出した車両１００の外側の照度にも基づいて室内灯１２の照度を調整する。
【００６９】
乗算係数は、ゼロ以上であり、かつ、１以下である。このため、駆動部２２及び制御部３５は、外側照度に基づいて設定した基準照度以下の範囲において、前方左座席４ｆ及び前方右座席４ｒの回転角に基づいて室内灯１２の照度を調整する。
【００７０】
図８は、第２調整処理の手順を示すフローチャートである。制御部３５は、フラグの値が１である場合、即ち、自動運転が行われている場合において、第２調整処理を周期的に実行する。制御部３５は、第１調整処理及び第２調整処理を並行して実行する。前述したように、自動運転装置１０は、車両１００の自動運転を行っている場合、自動運転が終了するまでに要すると推定される推定時間を示す推定時間データを、周期的に、マイコン２３の入力部３０に出力する。
【００７１】
第２調整処理では、まず、制御部３５は、入力部３０から推定時間データを取得し（ステップＳ１１）、取得した推定時間データが示す推定時間が基準時間以下であるか否かを判定する（ステップＳ１２）。基準時間は、一定であり、予め設定されている。基準時間は５分又は１０分等である。制御部３５は判定部として機能する。
【００７２】
制御部３５は、推定時間が基準時間を超えている、即ち、車両１００の自動運転が終了するまでに要する時間が長いと判定した場合（Ｓ１２：ＮＯ）、第２調整処理を終了する。
【００７３】
制御部３５は、推定時間が基準時間以下である、即ち、車両１００の自動運転が終了するまでに要する時間が短いと判定した場合（Ｓ１２：ＹＥＳ）、記憶部３４に記憶されているフラグの値をゼロに変更する（ステップＳ１３）。これにより、第１調整処理の周期的な実行が停止される。
【００７４】
次に、制御部３５は、記憶部３４に記憶されている目標照度データが示す目標照度から定数値を減算する（ステップＳ１４）。定数値は、一定であり、予め設定されている。次に、制御部３５は、記憶部３４に記憶されている目標照度データが示す目標照度を、ステップＳ１４で算出した照度に変更する（ステップＳ１５）。なお、ステップＳ１４で算出した照度が負の値である場合、ステップＳ１５では、制御部３５は、目標照度をゼロルクスに変更する。
【００７５】
制御部３５は、ステップＳ１５を実行した後、目標照度データの出力を出力部３３に指示する（ステップＳ１６）。これにより、出力部３３は、記憶部３４から目標照度データを読み出し、読み出した目標照度データを駆動部２２に出力する。駆動部２２は、室内灯１２の照度を、ステップＳ１４で算出された照度に調整し、室内灯１２の照度は低下する。
ステップＳ１６で目標照度データの出力を出力部３３に指示することは、室内灯１２の照度の低下を駆動部２２に指示することに相当する。
【００７６】
制御部３５は、ステップＳ１６を実行した後、記憶部３４に記憶されている目標照度データが示す目標照度が閾値以下であるか否かを判定する（ステップＳ１７）。閾値も、一定であり、予め設定されている。制御部３５は、目標照度が閾値を超えていると判定した場合（Ｓ１７：ＮＯ）、ステップＳ１４を実行する。これにより、目標照度は、更に、定数値だけ減少し、駆動部２２は、室内灯１２の照度を定数値だけ減少させる。目標照度が閾値以下となるまで、制御部３５は目標照度を定数値ずつ低下させ、駆動部２２は室内灯１２の照度を段階的に低下させる。閾値は、ゼロルクス、又は、十分に低い正の値である。
【００７７】
制御部３５は、目標照度が閾値以下であると判定した場合（Ｓ１７：ＹＥＳ）、第２調整処理を終了する。制御部３５によって、目標照度が閾値以下であると判定されて第２調整処理が終了した場合、フラグの値はゼロであるため、第２調整処理の周期的な実行は停止する。
【００７８】
以上のように、照度調整装置１１では、車両１００の自動運転が終了するまでに要すると推定される推定時間が基準時間以下となった場合、駆動部２２は室内灯１２の照度を低下させ、室内から車両１００の外側を見る人物の視認性を上昇させる。これにより、視認性が高い状態で自動運転が終了する。その後、車両１００の運転が必要である場合、運転者が車両１００の手動運転を行う。このとき、乗員の視認性は高いので、運転者は適切な手動運転を行うことができる。
また、駆動部２２は、推定時間が基準時間以下となった場合、室内灯１２の照度を段階的に低下させる。このため、室内の人物の視認性が緩やかに上昇する。結果、乗員の眼は車両１００の外側の照度に順応し易い。
【００７９】
更に、自動運転が行われている場合、前方左座席４ｆ及び前方右座席４ｒの回転角に基づいて、室内灯１２の照度が調整される。このため、室内灯１２の照度は、適切な照度に調整される。
また、自動運転が行われている場合、前方左座席４ｆ及び前方右座席４ｒの回転角だけではなく、外側照度にも基づいて、室内灯１２の照度が照度に調整される。このため、室内灯１２の照度は、より適切な照度に調整される。
【００８０】
なお、車両１００の自動運転が行われている場合において、自動運転装置１０は、車両１００の乗員から手動運転への切替えを指示する切替え指示を受け付けてもよい。この場合、例えば、自動運転装置１０は、手動運転への切替えを示す切替えデータをマイコン２３の入力部３０に出力してから第２の基準時間が経過した後に動作を停止する。マイコン２３の制御部３５は、入力部３０に切替えデータが入力された場合、第２調整処理と同様に、記憶部３４に記憶されている目標照度データが目標照度を低下させ、出力部３３に目標照度データの出力を指示し、駆動部２２に室内灯１２の照度を段階的に低下させる。制御部３５は、切替えデータが入力されてから、第２の基準時間が経過するまでに、目標照度を閾値以下の照度に低下させる。第２の基準時間は、一定であり、予め設定されている。
【００８１】
乗員が手動運転への切替えを指示する状況として、自動運転装置１０が誤った運転を行っている状況が考えられる。この場合、自動運転から手動運転への切替えに要する時間が短いことが好ましい。このため、自動運転装置１０が手動運転への切替え指示を受け付けた場合、駆動部２２は、第２調整処理で駆動部２２が室内灯１２の照度を低下させる速度よりも速い速度で室内灯１２の照度を低下させてもよい。
【００８２】
照度調整装置１１では、室内灯１２の照度を低下させる構成は、出力部３３が繰り返し出力する目標照度データが示す目標照度を段階的に低下させる構成に限定されない。駆動部２２が室内灯１２の照度を段階的に低下させる機能を有してもよい。この場合、制御部３５は、室内灯１２の照度の段階的な低下を指示するデータを出力部３３に出力させ、駆動部２２は、このデータが出力部３３から入力された場合、室内灯１２の照度を段階的に低下させる。
【００８３】
回転角検出部２０が回転角を検出する対象は、前方左座席４ｆ及び前方右座席４ｒに限定されない。例えば、後方左座席５ｆ及び後方右座席５ｒが回転可能に設置されている場合、回転角検出部２０が回転角を検出する対象は、前方左座席４ｆ、前方右座席４ｒ、後方左座席５ｆ及び後方右座席５ｒの回転角を検出してもよい。この場合、室内灯１２の照度は、回転角検出部２０が検出した４つの回転角に基づいて調整される。
【００８４】
更に、車両１００に設置される座席の数は、４に限定されず、１、２、３又は５以上であってもよい。また、回転角検出部２０が回転角を検出する対象の数は、２に限定されず、１、又は３以上であってもよい。この場合、回転角検出部２０が検出した一又は複数の回転角に基づいて、室内灯１２の照度が調整される。
【００８５】
また、乗算係数を決定する構成は、図５の対応表に基づいて乗算係数を決定する構成に限定されず、回転角検出部２０が検出した一又は複数の回転角と、係数とが変数である数式を用いる構成であってもよい。この構成では、回転角検出部２０が検出した一又は複数の回転角を数式に代入することによって、係数を算出し、乗算係数を、算出した係数に決定する。
【００８６】
開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００８７】
１  照明システム
１０  自動運転装置
１１  照度調整装置
１２  室内灯
２０  回転角検出部
２１  外側照度検出部
２２  駆動部（調整部の一部）
２３  マイコン
３０，３１，３２  入力部
３３  出力部
３４  記憶部
３５  制御部（判定部、調整部の一部）
４ｆ  前方左座席
４ｒ  前方右座席
５ｆ  後方左座席
５ｒ  後方右座席
６０  底部
６１  背もたれ
６２  ヘッドレスト
１００  車両
Ｅ１  記憶媒体
Ｐ１  コンピュータプログラム
【図１】
2019107939.tif 000003
【図２】
2019107939.tif 000004
【図３】
2019107939.tif 000005
【図４】
2019107939.tif 000006
【図５】
2019107939.tif 000007
【図６】
2019107939.tif 000008
【図７】
2019107939.tif 000009
【図８】
2019107939.tif 000010